(57)【要約】【課題】家庭における洗濯・乾燥を、市中の洗濯事業者のサービス利用または洗濯事業者の機器利用を含めた環境の中で効率良く実行する。【解決手段】洗濯物の乾燥度合値データを検出するセンサ部１と、前記センサ部１から得られた乾燥度合値データに基づき、洗濯物の乾燥完了までの乾燥時間を予測する乾燥時間予測手段４１と、前記予測された乾燥予測時間を監視し、乾燥予測時間の異常を検出する異常検出手段４２と、前記異常検出手段４２が異常を検出した場合に、洗濯事業者のサービス利用または洗濯事業者の機器利用の推奨メッセージをユーザ端末へ送信する洗濯事業者利用推奨手段４３とを具備する。【選択図】図１
2020162625.tif 000002
【特許請求の範囲】
【請求項１】
洗濯物の乾燥度合値データを検出するセンサ部と、
前記センサ部から得られた乾燥度合値データに基づき、洗濯物の乾燥完了までの乾燥時間を予測する乾燥時間予測手段と、
前記予測された乾燥予測時間を監視し、乾燥予測時間の異常を検出する異常検出手段と、
前記異常検出手段が異常を検出した場合に、洗濯事業者のサービス利用または洗濯事業者の機器利用の推奨メッセージをユーザ端末へ送信する洗濯事業者利用推奨手段と、
を具備することを特徴とする洗濯支援装置。
【請求項２】
前記異常検出手段は、乾燥予測時間が異常値閾値以上である場合、または、乾燥予測時間が所定値に留まってから所定時間以上経過した場合に、異常を検出することを特徴とする請求項１に記載の洗濯支援装置。
【請求項３】
前記洗濯事業者の機器は、コインランドリーの洗濯関連機器であり、
前記洗濯事業者利用推奨手段は、洗濯事業者の機器利用の推奨メッセージと共に利用可能なコインランドリーを特定する識別情報及び位置情報を送信することを特徴とする請求項１または２に記載の洗濯支援装置。
【請求項４】
コインランドリーにおける洗濯関連機器の使用情報を蓄積するコインランドリー使用情報データベースと、
コインランドリーにおける洗濯関連機器の使用情報を収集して、前記コインランドリー使用情報データベースに蓄積するコインランドリー使用情報データベース管理手段と、
を具備し、
前記洗濯事業者利用推奨手段は、利用可能なコインランドリーを特定する識別情報及び位置情報を前記コインランドリー使用情報データベースから得ることを特徴とする請求項３に記載の洗濯支援装置。
【請求項５】
コインランドリーにおける洗濯関連機器の使用予約状況情報を蓄積するコインランドリー使用予約状況情報データベースと、
ユーザ端末からコインランドリーにおける洗濯関連機器の使用予約要求を受け付け、前記コインランドリー使用予約状況情報データベースの情報に反映させるコインランドリー使用予約状況管理手段と、
を具備することを特徴とする請求項４に記載の洗濯支援装置。
【請求項６】
コインランドリーにおける洗濯関連機器には、当該機器を使用可能状態と使用不可能状態に切り換える使用制御コマンドを受けて当該機器をロック・アンロックする電子ロック手段が備えられており、
コインランドリー使用予約状況管理手段は、ユーザ端末からコインランドリーにおける洗濯関連機器の使用予約要求を受け付けた場合に、前記コインランドリー使用予約状況情報データベースに登録された、予約に係るコインランドリーの該当機器の電子ロック手段においてロックすべくコントロール部へ使用制御コマンドを送信することを特徴とする請求項５に記載の洗濯支援装置。
【請求項７】
コインランドリー使用予約状況管理手段は、ユーザ端末からコインランドリーにおける洗濯関連機器の使用予約要求を受け付けた場合に、ユーザ端末にユーザ端末から電子ロック手段をアンロックするための情報を送信することを特徴とする請求項６に記載の洗濯支援装置。
【請求項８】
ユーザのスケジュール情報が登録されるユーザスケジュールデータベースと、
前記ユーザスケジュールデータベースのユーザのスケジュール情報を検索して、スケジュール情報に基づきコインランドリーの利用を促す勧誘メッセージを該当ユーザ端末へ送信するコインランドリー利用勧誘手段と、
を具備することを特徴とする請求項３乃至７のいずれか１項に記載の洗濯支援装置。
【請求項９】
コンピュータを、
洗濯物の乾燥度合値データを検出するセンサ部から得られた乾燥度合値データに基づき、洗濯物の乾燥完了までの乾燥時間を予測する乾燥時間予測手段、
前記予測された乾燥予測時間を監視し、乾燥予測時間の異常を検出する異常検出手段、
前記異常検出手段が異常を検出した場合に、洗濯事業者のサービス利用または洗濯事業者の機器利用の推奨メッセージをユーザ端末へ送信する洗濯事業者利用推奨手段、
として機能させることを特徴とする洗濯支援用プログラム。
【請求項１０】
前記コンピュータを前記異常検出手段として、乾燥予測時間が異常値閾値以上である場合、または、乾燥予測時間が所定値に留まってから所定時間以上経過した場合に、異常を検出するように機能させることを特徴とする請求項９に記載の洗濯支援用プログラム。
【請求項１１】
前記洗濯事業者の機器は、コインランドリーの洗濯関連機器であり、
前記コンピュータを前記洗濯事業者利用推奨手段として、洗濯事業者の機器利用の推奨メッセージと共に利用可能なコインランドリーを特定する識別情報及び位置情報を送信するように機能させることを特徴とする請求項９または１０に記載の洗濯支援用プログラム。
【請求項１２】
コインランドリーにおける洗濯関連機器の使用情報を蓄積するコインランドリー使用情報データベースが、前記コンピュータに付設され、
前記コンピュータを、コインランドリーにおける洗濯関連機器の使用情報を収集して、前記コインランドリー使用情報データベースに蓄積するコインランドリー使用情報データベース管理手段として機能させ、
前記コンピュータを前記洗濯事業者利用推奨手段として、利用可能なコインランドリーを特定する識別情報及び位置情報を前記コインランドリー使用情報データベースから得るように機能することを特徴とする請求項１１に記載の洗濯支援用プログラム。
【請求項１３】
コインランドリーにおける洗濯関連機器の使用予約状況情報を蓄積するコインランドリー使用予約状況情報データベースが、前記コンピュータに付設され、
前記コンピュータを、ユーザ端末からコインランドリーにおける洗濯関連機器の使用予約要求を受け付け、前記コインランドリー使用予約状況情報データベースの情報に反映させるコインランドリー使用予約状況管理手段として機能させることを特徴とする請求項１２に記載の洗濯支援用プログラム。
【請求項１４】
コインランドリーにおける洗濯関連機器には、当該機器を使用可能状態と使用不可能状態に切り換える使用制御コマンドを受けて当該機器をロック・アンロックする電子ロック手段が備えられており、
前記コンピュータを、前記コインランドリー使用予約状況管理手段として、ユーザ端末からコインランドリーにおける洗濯関連機器の使用予約要求を受け付けた場合に、前記コインランドリー使用予約状況情報データベースに登録された、予約に係るコインランドリーの該当機器の電子ロック手段においてロックすべくコントロール部へ使用制御コマンドを送信するように機能させることを特徴とする請求項１３に記載の洗濯支援用プログラム。
【請求項１５】
前記コンピュータを、コインランドリー使用予約状況管理手段として、ユーザ端末からコインランドリーにおける洗濯関連機器の使用予約要求を受け付けた場合に、ユーザ端末にユーザ端末から電子ロック手段をアンロックするための情報を送信するように機能させることを特徴とする請求項１４に記載の洗濯支援用プログラム。
【請求項１６】
ユーザのスケジュール情報が登録されるユーザスケジュールデータベースが、前記コンピュータに付設され、
前記コンピュータを、
前記ユーザスケジュールデータベースのユーザのスケジュール情報を検索して、スケジュール情報に基づきコインランドリーの利用を促す勧誘メッセージを該当ユーザ端末へ送信するコインランドリー利用勧誘手段して機能させることを特徴とする請求項１１乃至１５のいずれか１項に記載の洗濯支援用プログラム。
【発明の詳細な説明】
【技術分野】
【０００１】
この発明は、洗濯支援装置及び洗濯支援用プログラムに関するものである。
【背景技術】
【０００２】
従来、自宅にて洗濯を行って生乾き等が発生した場合には、臭いなどを理由として再洗濯する必要が生じるケースが多い。しかしながら、乾燥に必要な環境が整わなければ、再洗濯して再度乾燥したところで同じ状況が繰り返されることになっていた。一方、近年では、コインランドリーなどの洗濯事業者のサービス利用または洗濯事業者の機器利用により自宅での洗濯乾燥をサポートする人々も多くなりつつある。そのため、適切なタイミングでコインランドリーなどの洗濯事業者のサービス利用または洗濯事業者の機器利用や外部の洗濯施設などを利用することが上記再洗濯の繰り返しに対する解決策の一つである。しかしながら、このような観点から洗濯を行うユーザに対し案内を行うシステムがなく、このような情報の提供に関する要求が多く寄せられている。
【０００３】
また、特許文献１には、複数台の洗濯機や複数台の乾燥機の動作が終了したら、可及的速やかにその洗濯機や乾燥機を使用できる状態に促して、機器の稼働率を上げることを可能にするシステムが示されている。
【０００４】
このシステムでは、ユーザが予め利用する洗濯機に対応した機器の番号と、ユーザの通知先である電話番号をタブレットＰＣから各々入力するだけで、その利用する洗濯機の動作が終了すると、親機から通信手段である電話回線を介してユーザの通知先となる携帯電話端末に通知が行われるものである。
【０００５】
また、特許文献２には、従来のコインランドリーは共同利用の不衛生、夜間の治安の悪さ、洗剤や小銭の用意と仕事を持つ女性には利用し難く、乾燥後の洗濯物を畳むのも労苦であったことに鑑み、各種の顧客サービスを提供して顧客の満足度を向上させるものが開示されている。
【０００６】
このシステムでは、インターネット利用で２４時間受注可能とし、コインランドリーを係員が顧客に出向いて完全受注型にし、価格は従量制にしたことが特徴となっている。更に、支払い方法も現金と併用してインターネット決済システムを利用しているもので、顧客の利便性を向上している。洗濯については、消臭・除菌剤を洗剤と併用し共同利用の衛生面を担保し、乾燥後は洗濯物を整形して畳み顧客に届ける。顧客基本情報のデータベース構築とインターネットとバーコードシステムの活用により各種の顧客サービスを提供して顧客の満足度を向上させるものである。
【０００７】
更に、トイレなどの施設をあらかじめ予約するシステムを提供することを目的とするシステムが、特許文献３に開示されている。このシステムは、所定のユーザが所有する携帯端末にネットワークを介して接続された予約管理サーバと、トイレのドアに装備された電子ロックと、予約管理サーバに接続され当該予約管理サーバの指令にて電子ロックの施錠解錠を制御するコントローラとを備えているもので、コインランドリーの洗濯関連機器の管理に応用できる可能性を含む。
【０００８】
更に、特許文献３に記載のシステムは、予約管理サーバが、携帯端末からトイレの予約要求があったときに当該要求に基づいてコントローラにトイレの使用確保指令を送信する予約機能を備えると共に、コントローラが、使用確保指令に応じて電子ロックを施錠する使用制限機能を備えたものである。
【先行技術文献】
【特許文献】
【０００９】
【特許文献１】特開２０１５−１６３１８２号公報
【特許文献２】特開２００８−２８４３１３号公報
【特許文献３】特開２００３−２３３７４０号公報
【発明の概要】
【発明が解決しようとする課題】
【００１０】
本発明は、洗濯物を乾燥したときに生乾きの時間が多く続き再洗濯となる工程を何度も繰り返す可能性を排除することができ、家庭における洗濯・乾燥を、市中の洗濯事業者のサービス利用または洗濯事業者の機器利用を含めた環境の中で効率良く実行することを可能とする洗濯支援装置及び洗濯支援用プログラムを提供することを目的とする。
【課題を解決するための手段】
【００１１】
本実施形態に係る洗濯支援装置は、洗濯物の乾燥度合値データを検出するセンサ部と、前記センサ部から得られた乾燥度合値データに基づき、洗濯物の乾燥完了までの乾燥時間を予測する乾燥時間予測手段と、前記予測された乾燥予測時間を監視し、乾燥予測時間の異常を検出する異常検出手段と、前記異常検出手段が異常を検出した場合に、洗濯事業者のサービス利用または洗濯事業者の機器利用の推奨メッセージをユーザ端末へ送信する洗濯事業者利用推奨手段と、を具備することを特徴とする。
【図面の簡単な説明】
【００１２】
【図１】第１の実施形態に係る洗濯支援装置を用いて構成した洗濯支援システムの構成図。
【図２】第１の実施形態に係る洗濯支援装置の動作を示すフローチャート。
【図３】第２の実施形態に係る洗濯支援装置を用いて構成した洗濯支援システムの構成図。
【発明を実施するための形態】
【００１３】
以下添付図面を参照して本発明の実施形態に係る洗濯支援装置及び洗濯支援用プログラムを説明する。各図において、同一の構成要素には同一の符号を付して重複する説明を省略する。図１には、第１の実施形態に係る洗濯支援装置を用いて構成した洗濯支援システムの構成図が示されている。
【００１４】
この洗濯支援システムには、センサ部１、洗濯支援装置としてのサーバ２、ユーザ端末である通知端末３、洗濯事業者のサービス利用または洗濯事業者の機器利用の現場としての洗濯事業所５が備えられている。センサ部１は、洗濯物の乾燥度合値データを検出するものであり、水分センサ１０、アンプ１１、Ａ／Ｄ変換部１２、コンピュータ部１３、データ送信部１４、電池１５を備えている。センサ部１は、複数の家庭について複数設けられるものであるが、ここでは１つのみを示している。
【００１５】
本実施形態では、水分センサ１０が洗濯物を挟み或いは接触して、水分量に応じたインピーダンスを計測することができるもので、このインピーダンスデータを乾燥度合値データとして得られるセンサであればよく、光の反射率によって乾燥度合値を得るものや画像処理によって水分量に対応する乾燥度合値を得るものなど様々な乾燥度合値を得る態様のセンサを採用することができる。
【００１６】
アンプ１１は、水分センサ１０の出力を増幅するものであり、Ａ／Ｄ変換部１２は、アンプ１１により増幅された水分センサ１０の出力（アナログ信号）をディジタル化するものである。データ送信部１４は、ディジタル化された乾燥度合値データを送信するものである。コンピュータ部１３は、所謂マイコン程度の機能を有する構成であり、水分センサ１０のサンプリングタイミングの制御やＡ／Ｄ変換部１２の変換タイミングの制御、データ送信部１４の送信制御などを行うものである。電池１５は、水分センサ１０、アンプ１１、Ａ／Ｄ変換部１２、コンピュータ部１３、データ送信部１４へ電力供給を行うための電源部として機能する。
【００１７】
通知端末３は、複数設けられるものである。通知端末３は、ユーザ端末であり、スマートフォン、携帯電話機、ＰＤＡ（パーソナルディジタルアシスタント）、ＰＣ（パーソナルコンピュータ）などにより構成することができる。通知端末３には、通知端末３を統括制御するコントロール部３０、外部とデータを送受する送受信部３１、必要な情報を表示するためのＬＣＤ、ＬＥＤなどにより構成されるデータ表示部３２、所望のコマンドやデータを入力するためのデータ入力部３３が備えられている。
【００１８】
洗濯事業所５は、複数存在している。ここでは、コインランドリーである洗濯事業所５には、複数台の洗濯関連機器５１−１、５１−２、・・・・、５１−ｎが設けられている。洗濯関連機器５１−１、５１−２、・・・・、５１−ｎは、洗濯機や乾燥機などである。洗濯関連機器５１−１、５１−２、・・・・、５１−ｎには、当該機器を使用可能状態と使用不可能状態に切り換える使用制御コマンドを受けて当該機器をロック・アンロックする電子ロック手段５２−１、５２−２、・・・・、５２−ｎが設けられている。洗濯事業所５には、洗濯関連機器５１−１、５１−２、・・・・、５１−ｎを制御し、また、使用中・非使用中の監視を行い、電子ロック手段５２−１、５２−２、・・・・、５２−ｎへ使用制御コマンドを与えるなど、各種の管理を行うコントロール部５０が備えられている。コントロール部５０には、図示しない送受信部が備えられており、サーバ２と間で各種のデータや情報を送受することが可能である。
【００１９】
サーバ２は、コンピュータ部４０、外部記憶装置２０、データ受信部２１、データ送信部２２を備えている。データ受信部２１は、外部からのデータを受信するものであり、データ送信部２２は外部へデータを送信するものである。
【００２０】
コンピュータ部４０は、このサーバ２が洗濯支援装置として各種の処理を行うコンピュータの構成部分であり、乾燥時間予測手段４１、異常検出手段４２、洗濯事業者利用推奨手段４３、コインランドリー使用情報ＤＢ（データベース（以下、ＤＢについて同じ））管理手段４４、コインランドリー使用予約状況管理手段４５を備えている。
【００２１】
乾燥時間予測手段４１は上記センサ部１から得られた乾燥度合値データに基づき、洗濯物の乾燥完了までの乾燥時間を予測するものである。外部記憶装置２０には、乾燥度合値データＤＢ２３が備えられており、複数のセンサ部１から得られた乾燥開始からセンサ部１が取り外されるまでの乾燥度合値データが乾燥度合値データＤＢ２３へ格納されている。
【００２２】
この乾燥度合値データＤＢ２３に格納されている乾燥度合値データに基づき、コンピュータ部４０は１枚づつの洗濯物が乾燥開始から乾燥完了となるまでの時間データ、乾燥開始時と乾燥完了時の乾燥度合値データ、乾燥度合値データが乾燥完了状態を示す一定値になったときの一定値データなどを求め、例えば、乾燥開始時の乾燥度合値を所定の幅で区分し、この区分毎に、乾燥完了までに要する時間及び乾燥度合値データが乾燥完了状態を示す一定値になったときの一定値データを対にして、乾燥時間予測用データとして、乾燥度合値データＤＢ２３へ格納する。
【００２３】
また、乾燥予測時間についての異常値閾値と、乾燥予測時間が所定値に留まってから所定時間以上経過した場合に、異常を検出するための異常時間データと、を乾燥度合値データＤＢ２３に備えている。乾燥時間予測手段４１は到来した乾燥度合値データから乾燥時間予測用データに基づいて、区分を求め、乾燥予測時間を予測する。
【００２４】
コンピュータ部４０に備えられている異常検出手段４２は、上記乾燥時間予測手段４１によって予測された乾燥予測時間を監視し、乾燥予測時間の異常を検出するものである。例えば、上記異常検出手段４２は、乾燥予測時間が異常値閾値（乾燥度合値データＤＢ２３に備えられている）以上である場合、または、乾燥予測時間が所定値に留まってから所定時間（乾燥度合値データＤＢ２３に備えられている）以上経過した場合に、異常を検出することができる。また、乾燥度合値データ乾燥度合値が所定値に留まっている時間が所定時間（乾燥度合値データＤＢ２３に備えられている）以上である場合に、異常を検出することができる。
【００２５】
コンピュータ部４０に備えられている洗濯事業者利用推奨手段４３は、上記異常検出手段４２が異常を検出した場合に、洗濯事業者のサービス利用または洗濯事業者の機器利用の推奨メッセージをユーザ端末へ送信する。ここに、洗濯事業者のサービス利用とは、例えば、クリーニング店の洗濯及び乾燥のサービスを利用することを指し、また、洗濯事業者の機器利用とは、コインランドリーの洗濯機や乾燥機を利用することを指すものとする。
【００２６】
以上の構成を用いて本実施形態の洗濯支援装置は、図２に示されるフローチャートに対応するプログラムにより動作を行うので、このフローチャートを参照して動作説明を行う。このフローチャートは、１つの洗濯物毎の処理を示す。処理がスタートとなり、洗濯物の乾燥度合値データが到来したのかを検出する（Ｓ１１）。乾燥度合値データが到来しない場合には、一定期間に亘ってデータが到来していないのかを検出する（Ｓ１２）。このステップＳ１２においてＹＥＳへ分岐すると、エンドとなり、またＮＯへ分岐するとステップＳ１１へ戻って処理が続けられる。
【００２７】
一方、上記ステップＳ１１においてＹＥＳへ分岐した場合には乾燥度合値データを取り込み（Ｓ１３）、当該洗濯物の乾燥時間を予測する（Ｓ１４）。次に、乾燥予測時間が異常閾値以上であるかを検出し（Ｓ１５）、ＮＯとなると、ステップＳ１６へ進み、乾燥予測時間が所定値に留まったまま所定時間以上経過したのかを検出する（Ｓ１６）。このステップＳ１６においてＮＯへ分岐すると、ステップＳ１１へ戻って処理が続けられる。
【００２８】
一方、ステップＳ１５においてＹＥＳへ分岐した場合、またはステップＳ１６においてＹＥＳへ分岐した場合には、洗濯事業者のサービス利用または洗濯事業者の機器利用の推奨メッセージをユーザ端末へ送信し（Ｓ１７）、エンドとなる。ユーザ端末のアドレスはステップＳ１３において送られてくる乾燥度合値データと共に送られてくるものである。
【００２９】
本実施形態において洗濯事業所５は、コインランドリーやクリーニング店であり、複数存在している。外部記憶装置２０に備えられているコインランドリー使用情報ＤＢ２４には、洗濯事業所５としてのコインランドリーやクリーニング店の識別情報及び位置情報として「住所、名称、電話番号などの連絡先」が記憶されている。一方、送られてくる乾燥度合値データには、センサ部１の住所情報が送られてくる。このため、推奨メッセージには、コインランドリー使用情報ＤＢ２４から利用可能なコインランドリーを特定する識別情報及び位置情報を読み出し、これらの情報を送信する。ここに「利用可能な」とはユーザ端末から送られてくる住所が近いことを意味する。
【００３０】
更に、本実施形態では、コインランドリー使用情報ＤＢ２４には、コインランドリーにおける洗濯関連機器５１−１、５１−２、・・・・、５１−ｎの使用情報を蓄積する。このため、洗濯関連機器５１−１、５１−２、・・・・、５１−ｎの１台毎に空き状態で使用可能か使用中であるかの情報をコインランドリー使用情報ＤＢ２４から得ることができる。
【００３１】
コインランドリー使用情報データベース管理手段４４は、コインランドリーにおける洗濯関連機器５１−１、５１−２、・・・・、５１−ｎの使用情報を収集して、上記コインランドリー使用情報ＤＢ２４に蓄積する。推奨メッセージには、この使用情報を含ませて送信する。数字で「○○号機が使用可能です。」というメッセージを送信しても良いし、「○○台が使用可能です。」というメッセージを送信しても良い。
【００３２】
本実施形態では、外部記憶装置２０に、コインランドリーにおける洗濯関連機器５１−１、５１−２、・・・・、５１−ｎの使用予約状況情報を蓄積するコインランドリー使用予約状況情報ＤＢ（データベース）２５を備えている。コインランドリー使用予約状況情報ＤＢ２５には、洗濯関連機器５１−１、５１−２、・・・・、５１−ｎ毎に、時間を区切って予約の有無の情報が記憶されている。また、コンピュータ部４０に備えられているコインランドリー使用予約状況管理手段４５は、ユーザ端末である通知端末３からコインランドリーにおける洗濯関連機器５１−１、５１−２、・・・・、５１−ｎの使用予約要求を受け付け、前記コインランドリー使用予約状況情報ＤＢ２５の情報に反映させる。
【００３３】
前述の通り、洗濯事業者利用推奨手段４３は、洗濯関連機器５１−１、５１−２、・・・・、５１−ｎの使用情報をユーザ端末へ送信しているので、ユーザ端末からは「○月○日○○時から○時間、○○号機の使用を希望。」という要求をサーバ２へ送ることにより、コインランドリー使用予約状況情報ＤＢ２５の情報により確認を行い、予約が入っていなければコインランドリー使用予約状況情報ＤＢ２５の情報に変更を加えて予約を設定し、ユーザ端末へ予約受付の旨を返送する。勿論、予約が不可能であれば、コインランドリー使用予約状況情報ＤＢ２５の情報に変更を加えることなく、ユーザ端末へ予約受付不可能の旨を返送する。
【００３４】
前述の通り、コインランドリーにおける洗濯関連機器５１−１、５１−２、・・・・、５１−ｎには、当該機器を使用可能状態と使用不可能状態に切り換える使用制御コマンドを受けて当該機器をロック・アンロックする電子ロック手段５２−１、５２−２、・・・・、５２−ｎが備えられている。コインランドリー使用予約状況管理手段４５は、ユーザ端末からコインランドリーにおける洗濯関連機器５１−１、５１−２、・・・・、５１−ｎの使用予約要求を受け付けた場合に、上記コインランドリー使用予約状況情報ＤＢ２５に登録された、予約に係るコインランドリーの該当機器の電子ロック手段５２−１、５２−２、・・・・、５２−ｎにおいてロックすべくコントロール部５０へ使用制御コマンドを送信する。つまり、使用制御コマンドは、予約受付によってコントロール部５０へ送信され、これを受けてコントロール部５０は予約時刻には他者が使用できぬように洗濯関連機器５１−１、５１−２、・・・・、５１−ｎ中の該当の洗濯関連機器の電子ロック手段をロック状態とする。
【００３５】
また、コインランドリー使用予約状況管理手段４５は、ユーザ端末からコインランドリーにおける洗濯関連機器の使用予約要求を受け付けた場合に、当該ユーザ端末にユーザ端末から電子ロック手段をアンロックするための情報を送信する。即ち、予約時刻には該当の洗濯関連機器の電子ロック手段がロック状態とされている。ユーザ端末である通知端末３には、電子ロック手段をアンロックするための情報が上記の送信を受けて記憶されており、通知端末３から該当電子ロック手段へアンロックするための情報（使用制御コマンド）を送ることができるように構成されている。この機能を用いて、コインランドリーにおける該当洗濯関連機器の設置場所においてロック解除を行い、当洗濯関連機器を使用することができる。
【００３６】
次に、第２の実施形態を図３に示す。本実施形態では、サーバ２Ａの外部記憶装置２０Ａが乾燥度合値データＤＢ２３、コインランドリー使用情報ＤＢ２４、コインランドリー使用予約状況情報ＤＢ２５以外に、ユーザスケジュールＤＢ（データベース）２６を備えている。ユーザスケジュールＤＢ２６には、ユーザのスケジュール情報が登録される。スケジュール情報の内容に制限はないが、基本的に洗濯物が増えそうなイベントや予定が通知端末３から送られてくる。
【００３７】
コンピュータ部４０Ａには、コインランドリー利用勧誘手段４６が加えられている。コインランドリー利用勧誘手段４６は、通知端末３からユーザのスケジュール情報が送られてくると、これをユーザ端末識別情報（或いはアドレス）と共にユーザスケジュールＤＢ２６に登録する。また、コインランドリー利用勧誘手段４６は、上記ユーザスケジュールＤＢ２６のユーザのスケジュール情報を検索して、スケジュール情報に基づきコインランドリーの利用を促す勧誘メッセージを該当ユーザ端末へ送信するものである。ユーザスケジュールＤＢ２６のスケジュール情報を検索して、勧誘メッセージを送信すべき所定のキーワードを求める。例えば、運動会、運動、スポーツ、走る、マラソン、体操などのキーワードが登録されているかを検索し、該当があると、コインランドリーの利用を促す勧誘メッセージを該当ユーザ端末へ送信する。
【００３８】
上記コインランドリーの利用を促す勧誘メッセージを受けたユーザ端末のユーザは、第１の実施形態で説明したコインランドリー使用予約等へ進むことができ、家庭用の洗濯機器では対応できないような洗濯物の処理を適切に行うことができる。
【符号の説明】
【００３９】
１  センサ部
２、２Ａ  サーバ
３  通知端末
５  洗濯事業所
１０  水分センサ
１１  アンプ
１２  Ａ／Ｄ変換部
１３  コンピュータ部
１４  データ送信部
１５  電池
２０、２０Ａ  外部記憶装置
２１  データ受信部
２２  データ送信部
２３  乾燥度合値データＤＢ
２４  コインランドリー使用情報ＤＢ
２５  コインランドリー使用予約状況情報ＤＢ
２６  ユーザスケジュールＤＢ
３０  コントロール部
３１  送受信部
３２  データ表示部
３３  データ入力部
４０、４０Ａ  コンピュータ部
４１  乾燥時間予測手段
４２  異常検出手段
４３  洗濯事業者利用推奨手段
４４  コインランドリー使用情報ＤＢ管理手段
４５  コインランドリー使用予約状況管理手段
４６  コインランドリー利用勧誘手段
５０  コントロール部
５１−１、５１−２、・・・・、５１−ｎ  洗濯関連機器
５２−１、５２−２、・・・・、５２−ｎ  電子ロック手段
【図１】
2020162625.tif 000003
【図２】
2020162625.tif 000004
【図３】
2020162625.tif 000005